(57)【要約】【課題】ファンの吸気側、排気側のそれぞれに適した機能、特性を備えた侵入防止部材を備える。【解決手段】ファンモジュール５０は、ファンユニット５１と、ファンユニット５１の吸気側に設けられ、ファンユニット５１への物体の侵入を防止する吸気側侵入防止部材６４と、ファンユニット５１の排気側に設けられ、ファンユニット５１への物体の侵入を防止する排気側侵入防止部材と、を備え、吸気側侵入防止部材６４と排気側侵入防止部材とは、形状が互いに異なる。【選択図】図３
2017082625.tif 000002
【特許請求の範囲】
【請求項１】
ファンと、 
前記ファンの吸気側に設けられ、前記ファンへの物体の侵入を防止する吸気側侵入防止部材と、
前記ファンの排気側に設けられ、前記ファンへの物体の侵入を防止する排気側侵入防止部材と、を備え、
前記吸気側侵入防止部材と前記排気側侵入防止部材とは、形状が互いに異なる、
冷却装置。
【請求項２】
前記吸気側侵入防止部材と、前記排気側侵入防止部材とは、前記ファンの回転軸に直交する方向の形状が互いに異なる、
請求項１に記載の冷却装置。
【請求項３】
前記吸気側侵入防止部材と、前記排気側侵入防止部材とは、前記ファンの回転軸方向に沿った断面形状が互いに異なる、
請求項１または２に記載の冷却装置。
【請求項４】
前記吸気側侵入防止部材は、金属からなる断面円形の線材により形成されている、
請求項１から３の何れか一項に記載の冷却装置。
【請求項５】
前記吸気側侵入防止部材は、前記ファンの回転軸方向から見たときに、前記ファンの回転軸と同心円状をなした複数の環状部を有している、
請求項１から４の何れか一項に記載の冷却装置。
【請求項６】
前記排気側侵入防止部材は、金属製の板状部材で形成されるフレーム部を有し、
前記フレーム部に複数の開口部が形成されている、
請求項１から５の何れか一項に記載の冷却装置。
【請求項７】
前記ファンは、
動翼部材の排気側に設けられ、周方向に間隔を空けて複数の静翼を有する静翼部材、を備え、
前記静翼と前記排気側侵入防止部材の前記フレーム部とにより、前記動翼部材への物体の侵入を防止する、
請求項６に記載の冷却装置。
【請求項８】
前記排気側侵入防止部材の前記フレーム部は、前記動翼部材の回転軸方向から見たときに、前記静翼と少なくとも一部が重複しない位置に配置されている、
請求項７に記載の冷却装置。
【請求項９】
前記ファンは、前記静翼部材の中央部に配置され、前記動翼部材を回転駆動させるモータを備え、
前記排気側侵入防止部材は、前記動翼部材の回転軸方向から見たときに前記モータと重なる位置に形成されたモータカバー部と、
前記モータカバー部から外周側に向かって延びる前記フレーム部と、
を備える、
請求項７又は８に記載の冷却装置。
【請求項１０】
前記排気側侵入防止部材は、前記フレーム部に、前記開口部を狭める方向に延びる凸部を備えている、
請求項７から９の何れか一項に記載の冷却装置。
【請求項１１】
ファンの吸気側、排気側に設けられるガードユニットであって、
前記ファンが駆動したときに生成される流体の流れ方向上流側に設けられ、前記ファンへの所定寸法以上の物体の侵入を防止する吸気側侵入防止部材と、
前記吸気側侵入防止部材に対し、前記流れ方向下流側に間隔を空けて設けられ、前記ファンへの所定寸法以上の物体の侵入を防止する排気側侵入防止部材と、
を備え、
前記吸気側侵入防止部材と前記排気側侵入防止部材とは、形状が互いに異なる、
ガードユニット。
【請求項１２】
請求項１から１０の何れか一項に記載の冷却装置を備えるサーバ。
【発明の詳細な説明】
【技術分野】
【０００１】
本発明は、冷却装置、ガードユニット、サーバに関する。
【背景技術】
【０００２】
電子部品である複数のモジュールを筐体内に搭載したサーバ等の機器において、筐体内の電子部品を冷却するため、筐体内で送風を行うファンを備えたものがある。このようなファンは、発生させた風によって異物を吸い込んだり、ユーザ等が手指や工具等を誤ってファン内に入れたりするのを防ぐ必要がある。例えば、特許文献１には、ファンの通風経路の前後に、侵入防止部材（フィンガーガード）を備える構成のファンユニットが開示されている。
【先行技術文献】
【特許文献】
【０００３】
【特許文献１】特開２００５−５１０８５号公報
【発明の概要】
【発明が解決しようとする課題】
【０００４】
特許文献１に開示されたファンユニットは、ファンの吸気側と排気側とに、それぞれ同じ構成の侵入防止部材を備えている。しかし、ファンの吸気側と排気側とでは、求められる機能、特性等が異なる。
【０００５】
本発明の目的は、上述した課題である、ファンの吸気側と排気側とでは、侵入防止部材に求められる機能、特性等が異なるという課題を解決する冷却装置、ガードユニット、サーバを提供する。
【課題を解決するための手段】
【０００６】
この発明の第一態様によれば、冷却装置は、ファンと、前記ファンの吸気側に設けられ、前記ファンへの物体の侵入を防止する吸気側侵入防止部材と、前記ファンの排気側に設けられ、前記ファンへの物体の侵入を防止する排気側侵入防止部材と、を備え、前記吸気側侵入防止部材と前記排気側侵入防止部材とは、形状が互いに異なる。
【０００７】
この発明の第二態様によれば、ガードユニットは、ファンの吸気側、排気側に設けられるガードユニットであって、前記ファンが駆動したときに生成される流体の流れ方向上流側に設けられ、前記ファンへの所定寸法以上の物体の侵入を防止する吸気側侵入防止部材と、前記吸気側侵入防止部材に対し、前記流れ方向下流側に間隔を空けて設けられ、前記ファンへの所定寸法以上の物体の侵入を防止する排気側侵入防止部材と、を備え、前記吸気側侵入防止部材と前記排気側侵入防止部材とは、形状が互いに異なる。
【０００８】
この発明の第三態様によれば、サーバは、上記したような冷却装置を備える。
【発明の効果】
【０００９】
本発明の冷却装置、ガードユニット、サーバでは、ファンの吸気側、排気側のそれぞれに適した機能、特性を備えた侵入防止部材を備えることができる。
【図面の簡単な説明】
【００１０】
【図１】第１の実施形態による冷却装置の最小構成を示す図である。
【図２】第２の実施形態による冷却装置、ガードユニットを備えたサーバの一例を示す斜視図である。
【図３】上記冷却装置としてのファンモジュールを、吸気側から見た斜視図である。
【図４】上記ファンモジュールを、吸気側から見た斜視図である。
【図５】上記ファンモジュールを、回転軸方向に沿った断面で見た図である。
【図６】上記ファンモジュールを構成するファンユニットの外枠部材及び静翼を示す斜視図である。
【図７】上記ファンモジュールを構成するガードユニットを示す斜視図である。
【図８】上記ファンモジュールを構成する吸気側侵入防止部材を示す斜視図である。
【発明を実施するための形態】
【００１１】
本発明の複数の実施形態に関して図面を参照して以下に説明する。ただし、本実施形態に関して前述した一従来例と同一の部分に関しては、同一の名称を使用して詳細な説明は省略する。
【００１２】
［第１の実施形態］
図１は、本実施形態による冷却装置の最小構成を示す図である。
この図が示すように、冷却装置１は、ファン３と、吸気側侵入防止部材４と、排気側侵入防止部材５と、を少なくとも備えていればよい。
【００１３】
ファン３は、モータ（図示無し）によって動翼（図示無し）が回転駆動されることで、風を発生させる。
【００１４】
吸気側侵入防止部材４は、ファン３の吸気側に、ファン３の吸気部を覆うように設けられる。
排気側侵入防止部材５は、ファン３の排気側に、ファン３の排気部を覆うように設けられる。
【００１５】
これら吸気側侵入防止部材４、排気側侵入防止部材５は、異物やユーザの手指や工具等の物体のファン３への侵入を防止する。このため、吸気側侵入防止部材４、排気側侵入防止部材５は、その両面を貫通し、侵入防止対象として想定される物体の大きさよりも小さい開口部４ａ，５ａをそれぞれ複数備えている。
ここで、吸気側侵入防止部材４と排気側侵入防止部材５とは、形状が互いに異なる。ファン３の吸気側と排気側とでは、求められる特性、優先される特性等が異なる。吸気側侵入防止部材４は、ファン３の吸気側では、例えば、流路抵抗を抑えること等、が優先される。また、ファン３の排気側では、流量が確保できるのであれば流路抵抗については吸気側よりも優先度が低く、コストを抑えることや、薄型化を図ること、等が優先される。これらに応じ、吸気側侵入防止部材４と排気側侵入防止部材５とで、形状を互いに異ならせるのである。
【００１６】
この冷却装置１は、ファン３と、 ファン３の吸気側に設けられ、ファン３への物体の侵入を防止する吸気側侵入防止部材４と、ファン３の排気側に設けられ、ファン３への物体の侵入を防止する排気側侵入防止部材５と、を備え、吸気側侵入防止部材４と排気側侵入防止部材５とは、形状が互いに異なる。
このような構成によれば、ファン３の吸気側、排気側に求められる機能や特性が異なるのに応じ、吸気側侵入防止部材４と排気側侵入防止部材５とで、形状を互いに異ならせることができる。これにより、吸気側侵入防止部材４と排気側侵入防止部材５とで、それぞれの機能や特性に応じた最適な形状を採用し、冷却装置１の性能の向上、低コスト化、小型化等を図ることができる。
【００１７】
なお、この実施形態では、吸気側侵入防止部材４と排気側侵入防止部材５とで、優先する特性については何ら限定するものでは無く、吸気側侵入防止部材４の開口部４ａ、排気側侵入防止部材５の開口部５ａの形状や配置、数等も一例として挙げたに過ぎない。
【００１８】
［第２の実施形態］
図２は、本実施形態による冷却装置、ガードユニットを備えたサーバの一例を示す斜視図である。
この図が示すように、サーバ４０は、筐体４１と、サーバーモジュール（冷却装置）４３と、ファンモジュール５０と、パワーユニット４５と、通信ユニット４６と、を主に備えている。
【００１９】
筐体４１は、サーバーモジュール４３、ファンモジュール５０、パワーユニット４５、および、通信ユニット４６を少なくとも収容する。この筐体４１は、上方に開口する上面視で四角形の箱状に形成されている。この筐体４１は、例えば、ラック（図示せず）に対して前後方向にスライド可能に支持されている。この筐体４１は、ラックに収容された状態から前方に向かって引き出すことで、筐体４１の内部にアクセス可能となる。その一方で、筐体４１は、引き出された状態から後方に向かって押し込むことでラックに収容される。
【００２０】
この実施形態におけるサーバ４０の筐体４１は、前後方向に長い形状とされ、その後方にパワーユニット４５が収容される。
筐体４１は、その内部空間を前後方向で複数に仕切る仕切部材４１ａを備えている。仕切部材４１ａは、前後方向に冷却空気が通過できるように複数の貫通孔が形成されている。この実施形態における筐体４１は、仕切部材４１ａによって、前方から後方に向かって、サーバーモジュール収容部４１ｂ、ファンモジュール収容部４１ｃ、および、その他収容部４１ｄの順で区画されている。
【００２１】
サーバーモジュール収容部４１ｂは、前後方向に隣接するようにして２つ設けられている。これらサーバーモジュール収容部４１ｂは、複数のサーバーモジュール４３を収容する。サーバーモジュール４３は、その厚さ方向が筐体４１の幅方向と一致する姿勢で、サーバーモジュール収容部４１ｂに多数収容可能となっている。言い換えれば、２つのサーバーモジュール収容部４１ｂは、サーバーモジュール４３が、その厚さ方向に多数積層されるようにして収容可能となっている。
【００２２】
ファンモジュール収容部４１ｃは、サーバーモジュール収容部４１ｂとその他収容部４１ｄとの間に配置されている。ファンモジュール収容部４１ｃは、複数のファンモジュール５０を収容する。複数のファンモジュール５０は、その回転軸が前後方向に延びるようにして筐体４１の幅方向に多数並んでファンモジュール収容部４１ｃに収容される。この実施形態におけるファンモジュール収容部４１ｃは、前後方向に２つのファンモジュール５０が重なるように２列で配置されている。ファンモジュール５０は、前方から後方に向かって冷却風を流す。
【００２３】
その他収容部４１ｄは、サーバーモジュール４３と、パワーユニット４５と、通信ユニット４６とを収容する。より具体的には、その他収容部４１ｄは、パワーユニット４５と通信ユニット４６とを収容した残部にサーバーモジュール４３を収容可能となっている。パワーユニット４５と、通信ユニット４６とは、それぞれサーバ４０の外部に接続されるケーブル類が筐体４１の背面から引き出し可能とされている。
【００２４】
ここで、図２において図示を省略しているが、筐体４１の底部には、ファンモジュール収容部４１ｃに、複数のファンモジュール５０と電気的に接続するための複数のコネクタが設けられている。ファンモジュール５０には、これらコネクタを介して、ファンを駆動するための電力が供給される。
【００２５】
図３は、本実施形態におけるファンモジュールを、吸気側から見た斜視図である。図４は、本実施形態におけるファンモジュールを、吸気側から見た斜視図である。図５は、本実施形態におけるファンモジュールを、回転軸方向に沿った断面で見た図である。図６は、ファンモジュールを構成するファンユニットの外枠部材及び静翼を示す斜視図である。
図３〜図５に示すように、ファンモジュール５０は、ファンユニット（ファン）５１と、ガードユニット６０と、サイドプレート５３と、を備えている。
【００２６】
ファンユニット５１は、外周枠部５６と、静翼部材５７と、動翼部材５８（図５参照）とを備えている。
【００２７】
図５、図６に示すように、外周枠部５６は、例えば樹脂製であり、ファンユニット５１の吸気側５１ａと排気側５１ｂとを結ぶ回転軸方向Ｃ（図５参照）に沿って延びる筒状をなしている。外周枠部５６は、回転軸方向Ｃに沿った方向から見たときに、外周面５６ｆの外形概略形状が断面矩形、内周面５６ｂが断面円形をなしている。
【００２８】
静翼部材５７は、例えば樹脂製であり、外周枠部５６において回転軸方向Ｃの一端側の排気側５１ｂに、外周枠部５６と一体成形されている。静翼部材５７は、中央部に形成された円盤状のボス部５７ｃと、ボス部５７ｃの外周側で周方向に間隔を空けて複数設けられた静翼５７ｗと、を備える。各静翼５７ｗは、ボス部５７ｃと外周枠部５６とをつなぐように形成されている。
【００２９】
図５に示すように、動翼部材５８は、外周枠部５６の内側で、静翼部材５７に対し、回転軸方向Ｃの他端側の吸気側５１ａに配置されている。動翼部材５８は、中央部に配置されたボス部５８ｂと、ボス部５８ｂの外周側で周方向に間隔を空けて配置された複数の動翼５８ｗと、を一体に備えている。動翼部材５８のボス部５８ｂは、静翼部材５７のボス部５７ｃに固定されたモータ５９の回転軸５９ｓに連結されている。動翼部材５８は、モータ５９によって回転駆動される回転軸５９ｓと一体に、回転軸方向Ｃ回りに回転し、吸気側５１ａから排気側５１ｂに向かう気流（流体の流れ）を発生させる。
【００３０】
図７は、ガードユニットを示す斜視図である。
図３、図４、図７に示すように、ガードユニット６０は、金属板をプレス機等によって、折り曲げ加工、打ち抜き加工することで形成されたもので、間隔を空けて互いに対向する吸気側プレート部６１および排気側プレート部（フレーム部）６２と、これら吸気側プレート部６１と排気側プレート部６２とを連結する連結プレート部６３と、吸気側侵入防止部材６４と、排気側侵入防止部材６５と、を一体に備えている。
【００３１】
図３、図４に示すように、吸気側プレート部６１および排気側プレート部６２は、それぞれ、ファンユニット５１の吸気側５１ａ、排気側５１ｂに沿うように設けられ、ビス５４によって外周枠部５６に固定される。
【００３２】
図７に示すように、吸気側プレート部６１は、中央部に、外周枠部５６の内周面５６ｂよりも外周側に広がる開口部６１ａを有している。吸気側プレート部６１には、吸気側侵入防止部材６４が設けられている。
【００３３】
図８は、吸気側侵入防止部材を示す斜視図である。
図８に示すように、吸気側侵入防止部材６４は、ファンユニット５１の回転軸方向Ｃから見たときに回転軸５９ｓの中心と同心円状をなした複数の環状部６４ｃと、放射方向に延び、複数の環状部６４ｃを連結するスポーク部６４ｓと、を備えている。吸気側侵入防止部材６４を形成する環状部６４ｃおよびスポーク部６４ｓは、例えばスチールやステンレス等の金属からなり、断面円形の線材により形成されている。
図５に示すように、このような吸気側侵入防止部材６４は、複数の環状部６４ｃが吸気側プレート部６１と同一面内で開口部６１ａの内側に設けられている。スポーク部６４ｓは、開口部６１ａの内側では、複数の環状部６４ｃに対して吸気側プレート部６１よりも回転軸方向Ｃの外方に突出している。スポーク部６４ｓは、複数の環状部６４ｃよりも外周側に突出した突出部６４ｔを有し、突出部６４ｔは、環状部６４ｃの外周側で回転軸方向Ｃの内方に屈曲し、吸気側プレート部６１と外周枠部５６との間に挟み込まれて固定されている。
このようにして、吸気側侵入防止部材６４は、ファンユニット５１の動翼部材５８が回転駆動されたときに生成される気流方向上流側である吸気側５１ａに設けられ、ファンユニット５１への所定寸法以上の物体の侵入を防止する。
【００３４】
図４に示すように、排気側プレート部６２には、排気側侵入防止部材６５として、モータカバー部６５ｍと、フレーム部６５ｆと、が形成されている。
図４、図５に示すように、モータカバー部６５ｍは、静翼部材５７の中央部に固定されたモータ５９と、回転軸方向Ｃから見たときに重なる位置に形成されている。フレーム部６５ｆは、周方向に間隔を空けて複数本が設けられ、それぞれ、モータカバー部６５ｍから外周側に向かって延びるよう形成されている。このような排気側侵入防止部材６５では、モータカバー部６５ｍの外周側で、周方向で互いに隣接するフレーム部６５ｆ，６５ｆの間に、開口部６５ａが形成される。
【００３５】
各フレーム部６５ｆには、回転軸方向Ｃに直交する面内で開口部６５ａを狭める方向に延びる凸部６５ｔが一体に形成されている。凸部６５ｔは、フレーム部６５ｆから例えば半円形に突出するよう形成されている。
これらのモータカバー部６５ｍ、フレーム部６５ｆ、凸部６５ｔは、金属板からなる排気側プレート部６２に複数の開口部６５ａを打ち抜き加工することで形成される。
このような排気側侵入防止部材６５は、ファンユニット５１の動翼部材５８が回転駆動されたときに生成される気流方向下流側である排気側５１ｂに設けられ、ファンユニット５１への所定寸法以上の物体の侵入を防止する。
【００３６】
ここで、図４、図６に示すように、排気側侵入防止部材６５のフレーム部６５ｆは、回転軸方向Ｃから見たときに、静翼部材５７の静翼５７ｗと少なくとも一部が重複しないよう、周方向にオフセットした位置に配置されている。
このようにして、開口部６５ａの開口領域に静翼５７ｗが位置することで、静翼５７ｗとフレーム部６５ｆとにより、動翼部材５８への物体の侵入を防止する。
【００３７】
また、図４に示すように、サイドプレート５３は、ガードユニット６０において連結プレート部６３と対向する側で、吸気側プレート部６１と排気側プレート部６２との間に嵌め込まれている。サイドプレート５３には、モータ５９の配線（図示無し）が接続されたコネクタ部５３ｃが設けられている。このコネクタ部５３ｃは、下方に向かって突出するよう設けられ、ファンモジュール５０を筐体４１内に装着したときに、筐体の底部に設けられたコネクタに接続され、モータ５９への給電がなされる。
【００３８】
上記ファンモジュール５０において、吸気側侵入防止部材６４と排気側侵入防止部材６５とは、形状が互いに異なっている。
具体的には、吸気側侵入防止部材６４と排気側侵入防止部材６５とは、開口部６４ａ，６５ａの配置、形状、数が異なることで、ファンユニット５１の回転軸方向Ｃに沿った断面形状が互いに異なる。
また、吸気側侵入防止部材６４が、金属製の線材からなるのに対し、排気側侵入防止部材６５は、金属板からなる排気側プレート部６２を打ち抜き加工して形成した。このように、吸気側侵入防止部材６４と、排気側侵入防止部材６５とは、ファンユニット５１の回転軸方向Ｃに直交する方向での形状が互いに異なる。
ここで、吸気側侵入防止部材６４、排気側侵入防止部材６５は、いずれも、異物やユーザの手指や工具等の物体のファンユニット５１への侵入を防止する。吸気側侵入防止部材６４、排気側侵入防止部材６５は、侵入防止対象として想定される物体の大きさよりも小さい開口部６４ａ，６５ａをそれぞれ複数備えている。
また、ファンユニット５１の吸気側５１ａでは、例えば、流路抵抗を抑えること等、が優先される。したがって、吸気側侵入防止部材６４では、断面円形の線材から同心円状の環状部６４ｃを形成することで、流路抵抗を抑えている。
一方、ファンユニット５１の排気側５１ｂでは、流量が確保できるのであれば流路抵抗については吸気側よりも優先度が低く、コストを抑えることや、薄型化を図ること、等が優先される。したがって、排気側侵入防止部材６５は、金属板からなる排気側プレート部６２を打ち抜き加工して形成することで、線材からなるファンユニット５１よりも薄型化を図っている。
【００３９】
このようなファンモジュール５０、ガードユニット６０は、ファンユニット５１への物体の侵入を防止する吸気側侵入防止部材６４と、ファンユニット５１の排気側５１ｂに設けられ、ファンユニット５１への物体の侵入を防止する排気側侵入防止部材６５と、を備え、吸気側侵入防止部材６４と排気側侵入防止部材６５とは、形状が互いに異なる。
このような構成によれば、ファンユニット５１の吸気側５１ａ、排気側５１ｂに求められる機能や特性が異なるのに応じ、吸気側侵入防止部材６４と排気側侵入防止部材６５とで、形状を互いに異ならせることができる。これにより、吸気側侵入防止部材６４と排気側侵入防止部材６５とで、それぞれの機能や特性に応じた最適な形状を採用し、ファンモジュール５０の性能の向上、低コスト化、小型化等を図ることができる。
【００４０】
また、ファンモジュール５０は、吸気側侵入防止部材６４と排気側侵入防止部材６５とが、ファンユニット５１の回転軸方向Ｃに直交する方向の形状が互いに異なる。
また、ファンモジュール５０は、吸気側侵入防止部材６４と排気側侵入防止部材６５とが、ファンユニット５１の回転軸方向に沿った断面形状が互いに異なる。
このようにして、ファンユニット５１の吸気側５１ａと排気側５１ｂとで、吸気側侵入防止部材６４、排気側侵入防止部材６５の特性を異ならせることができる。
【００４１】
また、ファンモジュール５０は、吸気側侵入防止部材６４が、金属からなる断面円形の線材により形成されている。これにより、吸気側侵入防止部材６４を樹脂製とする場合に比較し、所要の強度を確保しながら吸気側侵入防止部材６４の各部を細くすることができ、流路抵抗を抑えることができる。
【００４２】
また、ファンモジュール５０は、吸気側侵入防止部材６４が、ファンユニット５１の回転軸方向Ｃから見たときに、回転軸と同心円状をなした複数の環状部６４ｃを有している。これにより、吸気側侵入防止部材６４における流路抵抗を小さく抑え、ファンユニット５１の吸気側５１ａにおける圧力損失を抑えることができる。
【００４３】
また、ファンモジュール５０は、排気側侵入防止部材６５が、金属製の板状部材で形成される排気側プレート部６２を有し、排気側プレート部６２に複数の開口部６５ａが形成されている。
このようにして、排気側侵入防止部材６５を金属の板状部材で形成することで、吸気側侵入防止部材６４よりも回転軸方向Ｃにおける厚さを小さくすることができ、ファンモジュール５０の小型を図ることができる。
【００４４】
また、ファンモジュール５０は、ファンユニット５１が、動翼部材５８の排気側に設けられ、周方向に間隔を空けて複数の静翼５７ｗを有する静翼部材５７、を備え、静翼５７ｗと排気側侵入防止部材６５のフレーム部６５ｆとにより、動翼部材５８への物体の侵入を防止する。
このように、静翼５７ｗとフレーム部６５ｆとで侵入防止を図ることで、排気側プレート部６２に形成された開口部６５ａを大きくすることができる。その結果、排気側侵入防止部材６５における圧力損失を小さくすることができる。
【００４５】
また、ファンモジュール５０は、排気側侵入防止部材６５のフレーム部６５ｆが、動翼部材５８の回転軸方向Ｃから見たときに、静翼５７ｗと少なくとも一部が重複しない位置に配置されている。
このように、フレーム部６５ｆが静翼５７ｗと重複しない位置に配置されることで、静翼５７ｗと排気側プレート部６２とによって形成される隙間を小さくし、ファンユニット５１への物体の侵入を有効に抑えることができる。また、排気側侵入防止部材６５の開口部６５ａを大きくできるので、排気側侵入防止部材６５における圧力損失を抑えることができる。
【００４６】
また、ファンモジュール５０は、排気側侵入防止部材６５が、動翼部材５８の回転軸に沿った方向から見たときにモータ５９と重なる位置に形成されたモータカバー部６５ｍと、モータカバー部６５ｍから外周側に向かって延びるフレーム部６５ｆと、を備える。
このようにして、排気側侵入防止部材６５で、モータ５９をカバーすることができる。ファンユニット５１の排気側は、中央部にモータ５９が設けられており、ファンユニット５１で生成する気流の流路外である。この部位にモータカバー部６５ｍを設けることで、モータカバー部６５ｍは、流路抵抗の変動要素として寄与しない。このようなモータカバー部６５ｍから外周側に向かってフレーム部６５ｆが延びるので、フレーム部６５ｆが短くて済む。したがって、フレーム部６５ｆの強度を確保しやすく、排気側侵入防止部材６５の薄型化を図ることもできる。
【００４７】
さらに、ファンモジュール５０は、排気側侵入防止部材６５が、フレーム部６５ｆに、開口部６５ａを狭める方向に延びる凸部６５ｔを備えている。このようにして開口部６５ａの内方に延びる凸部６５ｔにより、開口部６５ａが狭まるので、物体のファンユニット５１内への侵入を、より有効に防止することができる。
【００４８】
また、このようなファンモジュール５０を備えたサーバ４０においては、吸気側侵入防止部材６４と排気側侵入防止部材６５とで、形状を互いに異ならせることができるので、ファンモジュール５０の性能の向上、低コスト化、小型化等を図ることができる。したがって、サーバ４０における筐体４１内の冷却性能の向上、筐体４１におけるモジュール類の搭載密度の向上等といった効果を図ることができる。
【００４９】
（検討例）
ここで、排気側侵入防止部材の形状について検討したので、その結果を示す。
ファンモジュールの排気側侵入防止部材について、ファンの回転軸方向から見たときの形状が上記第二実施形態で示した吸気側侵入防止部材６４と同一であるもの（検討例１）と、上記第二実施形態で示した排気側侵入防止部材６５と同一であるもの（検討例２）の２種類を用意した。
【００５０】
検討例１、２の排気側侵入防止部材をそれぞれ備えたファンモジュールにおいて、一定電圧１２（Ｖ）でモータ５９を駆動し、このときのモータ５９に流れる電流値を計測した。
その結果、検討例２のファンモジュールでは、電流値が５．６４（Ａ）であったのに対し、検討例１のファンモジュールでは、電流値が５．３３（Ａ）であった。
このことから、ファンモジュールの排気側侵入防止部材は、上記第二実施形態で示した排気側侵入防止部材６５のようにすることで、モータ５９で発生する気流に対する流路抵抗が抑えられることが確認できた。
【００５１】
なお、上記実施形態では、吸気側侵入防止部材６４、排気側侵入防止部材６５の構成を例示したが、回転軸方向Ｃから見たときの形状、回転軸方向Ｃに沿った断面で見たときの形状は、他のいかなるものとしてもよい。例えば、吸気側侵入防止部材６４は、断面円形の線材に限らず、その断面形状を、半円形、楕円形、長円形、多角形状等としてもよい。
また、ファンユニット５１は、静翼部材５７および動翼部材５８を一組のみ備えているが、これらを二組以上備えるようにしてもよい。その場合、静翼部材５７および動翼部材５８の各組に、吸気側侵入防止部材６４、排気側侵入防止部材６５を備えるようにする。
【００５２】
また、ファンユニット５１の構成は、他のいかなる構成であってもよい。例えば、静翼部材５７と動翼部材５８とを備えるようにしたが、動翼部材５８のみを備えるものであってもよい。
【００５３】
さらには、ファンモジュール５０のサーバ４０への組み込み個数や配置等も適宜変更することが可能である。
加えて、ファンモジュール５０は、サーバ４０以外の他の機器に組み込むものであってもよい。
また、上記実施形態では、冷却装置をモジュール化したサーバーモジュール４３を、サーバ４０に備える構成としたが、冷却装置をモジュール化せず、サーバの一部に備えるようにしてもよい。
これ以外にも、本発明の主旨を逸脱しない限り、上記実施の形態で挙げた構成を取捨選択したり、他の構成に適宜変更したりすることが可能である。
【符号の説明】
【００５４】
１…冷却装置
３…ファン
４…吸気側侵入防止部材
４ａ…開口部
５…排気側侵入防止部材
４０…サーバ
４１…筐体
５０…ファンモジュール（冷却装置）
５１…ファンユニット（ファン）
５１ａ…吸気側
５１ｂ…排気側
５７…静翼部材
５７ｗ…静翼
５８…動翼部材
５９…モータ
５９ｓ…回転軸
６０…ガードユニット
６２…排気側プレート部（フレーム部）
６４…吸気側侵入防止部材
６４ａ…開口部
６４ｃ…環状部
６５…排気側侵入防止部材
６５ａ…開口部
６５ｆ…フレーム部
６５ｍ…モータカバー部
６５ｔ…凸部
Ｃ  回転軸方向
【図１】
2017082625.tif 000003
【図２】
2017082625.tif 000004
【図３】
2017082625.tif 000005
【図４】
2017082625.tif 000006
【図５】
2017082625.tif 000007
【図６】
2017082625.tif 000008
【図７】
2017082625.tif 000009
【図８】
2017082625.tif 000010
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
ファンと、
前記ファンの吸気側に設けられ、少なくともユーザの手指を含む物体が前記ファンへ侵入することを防止するべく前記物体よりも小さい複数の吸気側開口部を有する吸気側侵入防止部材と、
前記ファンの排気側に設けられ、少なくともユーザの手指を含む物体が前記ファンへ侵入することを防止するべく前記物体よりも小さい複数の排気側開口部を有する排気側侵入防止部材と、を備え、
前記吸気側侵入防止部材と前記排気側侵入防止部材とは、形状が互いに異なる、
冷却装置。
【請求項２】
前記吸気側侵入防止部材と、前記排気側侵入防止部材とは、前記ファンの回転軸に直交する方向の形状が互いに異なる、
請求項１に記載の冷却装置。
【請求項３】
前記吸気側侵入防止部材と、前記排気側侵入防止部材とは、前記ファンの回転軸方向に沿った断面形状が互いに異なる、
請求項１または２に記載の冷却装置。
【請求項４】
前記吸気側侵入防止部材は、金属からなる断面円形の線材により形成されている、
請求項１から３の何れか一項に記載の冷却装置。
【請求項５】
前記吸気側侵入防止部材は、前記ファンの回転軸方向から見たときに、前記ファンの回転軸と同心円状をなした複数の環状部を有している、
請求項１から４の何れか一項に記載の冷却装置。
【請求項６】
前記排気側侵入防止部材は、金属製の板状部材で形成されるフレーム部を有し、
前記フレーム部に複数の開口部が形成されている、
請求項１から５の何れか一項に記載の冷却装置。
【請求項７】
前記ファンは、
動翼部材の排気側に設けられ、周方向に間隔を空けて複数の静翼を有する静翼部材、を備え、
前記静翼と前記排気側侵入防止部材の前記フレーム部とにより、前記動翼部材への物体の侵入を防止する、
請求項６に記載の冷却装置。
【請求項８】
前記排気側侵入防止部材の前記フレーム部は、前記動翼部材の回転軸方向から見たときに、前記静翼と少なくとも一部が重複しない位置に配置されている、
請求項７に記載の冷却装置。
【請求項９】
前記ファンは、前記静翼部材の中央部に配置され、前記動翼部材を回転駆動させるモータを備え、
前記排気側侵入防止部材は、前記動翼部材の回転軸方向から見たときに前記モータと重なる位置に形成されたモータカバー部と、
前記モータカバー部から外周側に向かって延びる前記フレーム部と、
を備える、
請求項７又は８に記載の冷却装置。
【請求項１０】
前記排気側侵入防止部材は、前記フレーム部に、前記開口部を狭める方向に延びる凸部を備えている、
請求項７から９の何れか一項に記載の冷却装置。
【請求項１１】
ファンの吸気側、排気側に設けられるガードユニットであって、
前記ファンが駆動したときに生成される流体の流れ方向上流側に設けられ、前記ファンへの少なくともユーザの手指を含む物体の侵入を防止するべく前記物体よりも小さい複数の開口部を有する吸気側侵入防止部材と、
前記吸気側侵入防止部材に対し、前記流れ方向下流側に間隔を空けて設けられ、前記ファンへの少なくともユーザの手指を含む物体の侵入を防止するべく前記物体よりも小さい複数の開口部を有する排気側侵入防止部材と、
を備え、
前記吸気側侵入防止部材と前記排気側侵入防止部材とは、形状が互いに異なる、
ガードユニット。
【請求項１２】
請求項１から１０の何れか一項に記載の冷却装置を備えるサーバ。
【手続補正２】
【補正対象書類名】明細書
【補正対象項目名】０００６
【補正方法】変更
【補正の内容】
【０００６】
この発明の第一態様によれば、冷却装置は、ファンと、前記ファンの吸気側に設けられ、少なくともユーザの手指を含む物体が前記ファンへ侵入することを防止するべく前記物体よりも小さい複数の吸気側開口部を有する吸気側侵入防止部材と、前記ファンの排気側に設けられ、少なくともユーザの手指を含む物体が前記ファンへ侵入することを防止するべく前記物体よりも小さい複数の排気側開口部を有する排気側侵入防止部材と、を備え、前記吸気側侵入防止部材と前記排気側侵入防止部材とは、形状が互いに異なる。
【手続補正３】
【補正対象書類名】明細書
【補正対象項目名】０００７
【補正方法】変更
【補正の内容】
【０００７】
この発明の第二態様によれば、ガードユニットは、ファンの吸気側、排気側に設けられるガードユニットであって、前記ファンが駆動したときに生成される流体の流れ方向上流側に設けられ、前記ファンへの少なくともユーザの手指を含む物体の侵入を防止するべく前記物体よりも小さい複数の開口部を有する吸気側侵入防止部材と、前記吸気側侵入防止部材に対し、前記流れ方向下流側に間隔を空けて設けられ、前記ファンへの少なくともユーザの手指を含む物体の侵入を防止するべく前記物体よりも小さい複数の開口部を有する。